(57)【要約】【課題】スキャナ装置で読み取った画像データを、ネットワークを介して画像表示装置に直接送信して表示させることは困難であった。【解決手段】画像を読み取って表示するための画像表示システムであって、画像表示装置と、画像表示装置にネットワークを介して接続されたスキャナ装置と、を備え、画像表示装置は、スキャナ装置に載置された画像を読み取って表示する旨の指示をユーザから受けると、予め定められた予約ファイル名を指定してファイル読み出し要求を前記スキャナ装置に送信し、スキャナ装置は、ファイル読み出し要求を受信すると、画像を読み取ると共に、読み取って得られた画像データを前記予約ファイル名で画像表示装置に送信して表示させる。【選択図】図１
2008042552.tif 000002
【特許請求の範囲】
【請求項１】
画像を読み取って表示するための画像表示システムであって、
画像表示装置と、
前記画像表示装置にネットワークを介して接続されたスキャナ装置と、
を備え、
前記画像表示装置は、前記スキャナ装置に載置された画像を読み取って表示する旨の指示をユーザから受けると、予め定められた予約ファイル名を指定してファイル読み出し要求を前記スキャナ装置に送信し、
前記スキャナ装置は、前記ファイル読み出し要求を受信すると、前記画像を読み取ると共に、読み取って得られた画像データを前記予約ファイル名で前記画像表示装置に送信して表示させることを特徴とする画像表示システム。
【請求項２】
請求項１に記載の画像表示システムにおいて、
前記画像表示装置は、ネットワーク型プラグアンドプレイにおけるコントロールポイントとして機能し、
前記スキャナ装置は、予め前記画像表示装置に対して、前記スキャナ装置が前記ネットワーク型プラグアンドプレイにおけるストレージデバイスとして機能する旨を通知すると共に、前記予約ファイル名を通知する、
画像表示システム。
【請求項３】
請求項１または請求項２に記載の画像表示システムにおいて、
前記スキャナ装置は、設定ファイル格納部を備え、
前記画像表示装置は、前記スキャナ装置に対して前記ファイル読み出し要求を送信する前に、スキャン条件を記述したスキャン設定ファイルと、前記スキャン設定ファイルの書き込み要求と、を前記スキャナ装置に送信し、前記スキャナ装置は、前記スキャン設定ファイルを前記設定ファイル格納部に書き込み、
前記スキャナ装置は、前記画像を読み取る際に、前記スキャン設定ファイルに記述された前記スキャン条件で前記画像を読み取る、
画像表示システム。
【請求項４】
請求項１ないし請求項３のいずれかに記載の画像表示システムにおいて、
前記スキャナ装置は、予め画像表示装置に対して、前記画像データのファイルサイズとして所定のファイルサイズを通知し、
前記スキャナ装置は、前記画像データを送信する際に、前記画像データのファイルサイズが前記所定のファイルサイズよりも小さい場合には、前記画像データにダミーデータを付加して前記所定のファイルサイズとなるようにしてから、前記ダミーデータが付加された画像データを前記画像表示装置に送信する、
画像表示システム。
【請求項５】
画像表示装置にネットワークを介して接続されたスキャナ装置であって、
前記画像表示装置から予め定められた予約ファイル名を指定してファイル読み出し要求を受信すると、前記スキャナ装置に載置された画像を読み取ると共に、読み取って得られた画像データを前記予約ファイル名で前記画像表示装置に送信して表示させることを特徴とするスキャナ装置。
【請求項６】
スキャナ装置にネットワークを介して接続された画像表示装置であって、
前記スキャナ装置に載置された画像を読み取って表示する旨の指示をユーザから受けると、予め定められた予約ファイル名を指定してファイル読み出し要求を前記スキャナ装置に送信することで、前記スキャナ装置に前記画像の読み取りを指示することを特徴とする画像表示装置。
【請求項７】
画像表示装置と、前記画像表示装置にネットワークを介して接続されたスキャナ装置と、を備えた画像表示システムにおいて、画像を読み取って表示するための画像表示方法であって、
（ａ）前記画像表示装置において、前記スキャナ装置に載置された画像を読み取って表示する旨の指示をユーザから受けると、予め定められた予約ファイル名を指定してファイル読み出し要求を前記スキャナ装置に送信する工程と、
（ｂ）前記スキャナ装置において、前記ファイル読み出し要求を受信すると、前記画像を読み取ると共に、読み取って得られた画像データを前記予約ファイル名で前記画像表示装置に送信して表示させる工程と、
を備える画像表示方法。
【発明の詳細な説明】
【技術分野】
【０００１】
本発明は、スキャナ装置で読み取った画像を、ネットワークを介して画像表示装置に送信して表示させる技術に関する。
【背景技術】
【０００２】
プラグアンドプレイは、よく知られているように、コンピュータの起動後に周辺装置を任意のタイミングでコンピュータに接続したり、コンピュータから切断したりすることができる技術である。近年では、プラグアンドプレイ技術をネットワークに適用したものとして、ユニバーサルプラグアンドプレイ（以下、「ＵＰｎＰ」と呼ぶ。ＵＰｎＰは UPnP Implementers Corporationの商標）が開発されてきている。ＵＰｎＰを用いると、ネットワーク装置を任意のタイミングでネットワークに接続したり、ネットワークから切断したりすることができる。本明細書では、ＵＰｎＰのように、ネットワークにおいてプラグアンドプレイを実現するアーキテクチャを、「ネットワーク型プラグアンドプレイ」と呼ぶ。
【０００３】
【特許文献１】特開平２００１−２９０７２４号公報
【０００４】
ＵＰｎＰでは、アプリケーション層までは規格されていない。そこで、動画や音声や静止画像などのデジタルコンテンツを、異なるメーカの機器同士で相互利用するためのガイドラインが、ＤＬＮＡ(Digital Living Network Alliance)において規定され、「ＤＬＮＡガイドラインｖ１．０」として発表されている。このＤＬＮＡガイドラインｖ１．０では、デバイスの接続及びコンテンツの送受信のためのプロトコルとして、ＵＰｎＰやＨＴＴＰ（Hyper Text Transfer Protocol）等が規定されている。
【発明の開示】
【発明が解決しようとする課題】
【０００５】
上記ＤＬＮＡガイドラインｖ１．０に準拠するシステム（以下、「ＤＬＮＡシステム」と呼ぶ。）では、デジタルコンテンツを提供する装置であるデジタルメディアサーバ（Digital Media Server：ＤＭＳ）と、デジタルコンテンツを再生する装置であるデジタルメディアプレーヤー（Digital Media Player：ＤＭＰ）と、の間でデジタルコンテンツの送受信を行うことができる。例えば、大容量のハードディスクを備えたコンピュータがＤＭＳであり、デジタルテレビ受像機（以下、「ＤＴＶ」とも呼ぶ。）がＤＭＰであるＤＬＮＡシステムにおいて、コンピュータは、ハードディスクに蓄積されている静止画像の一覧（ファイル名等の一覧）をＤＴＶに送信し、この一覧から選択された静止画像をＤＴＶに送信して表示することができる。
【０００６】
しかしながら、スキャナ装置をＤＬＮＡシステムに組み込んで、スキャナ装置で読み取った画像を、ＤＴＶなどの画像表示装置において直接取得して表示することは困難であった。これは以下の理由による。すなわち、ＤＬＮＡシステムでは、ＤＭＳとして、コンピュータやハードディスクレコーダやＤＶＤレコーダなどの画像を蓄積可能な装置（ストレージデバイス）を想定している。したがって、スキャナ装置をＤＭＳとして想定していないために、スキャナ装置から、画像一覧や読み取った画像を取得する方法が確立されていないからである。それゆえ、スキャナ装置で読み取った画像を画像表示装置で表示するためには、スキャナ装置にローカル接続されたコンピュータに一旦画像を保存し、かかるコンピュータから画像表示装置にネットワークを介して画像を送信して表示していた。従って、スキャナ装置とは別にネットワークに接続されたコンピュータを用意しなくてはならないという問題があった。また、ユーザは、画像の保存，送信，表示のそれぞれについて操作せねばならず大変煩雑であるという問題があった。
【０００７】
なお、かかる問題は、ＤＬＮＡシステムに限らず、スキャナ装置で読み取った画像を、ネットワークを介して画像表示装置に送信して表示させる場合に共通する問題であった。
【０００８】
本発明は、スキャナ装置で読み取った画像を、ネットワークを介して画像表示装置に直接送信して表示することができる技術を提供することを目的とする。
【課題を解決するための手段】
【０００９】
上記目的を達成するために、本発明の画像表示システムは、画像を読み取って表示するための画像表示システムであって、画像表示装置と、前記画像表示装置にネットワークを介して接続されたスキャナ装置と、を備え、前記画像表示装置は、前記スキャナ装置に載置された画像を読み取って表示する旨の指示をユーザから受けると、予め定められた予約ファイル名を指定してファイル読み出し要求を前記スキャナ装置に送信し、前記スキャナ装置は、前記ファイル読み出し要求を受信すると、前記画像を読み取ると共に、読み取って得られた画像データを前記予約ファイル名で前記画像表示装置に送信して表示させることを要旨とする。
【００１０】
このように本発明の画像表示システムでは、画像表示装置が予約ファイル名を指定してファイル読み出し要求をスキャナ装置に送信すると、スキャナ装置は、画像を読み取ると共に画像データを予約ファイル名で画像表示装置に送信して表示させるので、スキャナ装置で読み取った画像を、ネットワークを介して画像表示装置に直接送信して表示することができる。
【００１１】
上記画像表示システムにおいて、前記画像表示装置は、ネットワーク型プラグアンドプレイにおけるコントロールポイントとして機能し、前記スキャナ装置は、予め前記画像表示装置に対して、前記スキャナ装置が前記ネットワーク型プラグアンドプレイにおけるストレージデバイスとして機能する旨を通知すると共に、前記予約ファイル名を通知するようにしてもよい。
【００１２】
このような構成とすることで、コントロールポイントとして機能する画像表示装置は、ファイル名を指定してファイル読み出し要求を送信するという、ストレージデバイスとの間における一般的なデータ送受信方法を利用して、スキャナ装置に対して、画像の読み取り（及び画像データの送信）を指示することができる。
【００１３】
上記画像表示システムにおいて、前記スキャナ装置は、設定ファイル格納部を備え、前記画像表示装置は、前記スキャナ装置に対して前記ファイル読み出し要求を送信する前に、スキャン条件を記述したスキャン設定ファイルと、前記スキャン設定ファイルの書き込み要求と、を前記スキャナ装置に送信し、前記スキャナ装置は、前記スキャン設定ファイルを前記設定ファイル格納部に書き込み、前記スキャナ装置は、前記画像を読み取る際に、前記スキャン設定ファイルに記述された前記スキャン条件で前記画像を読み取るようにしてもよい。
【００１４】
このような構成とすることで、ストレージデバイスとコントロールポイントとの間におけるファイルの送信及び書き込み方法を利用して、スキャナ装置に対してスキャン条件を設定することができる。
【００１５】
上記画像表示装置において、前記スキャナ装置は、予め画像表示装置に対して、前記画像データのファイルサイズとして所定のファイルサイズを通知し、前記スキャナ装置は、前記画像データのファイルサイズが前記所定のファイルサイズよりも小さい場合には、前記画像データにダミーデータを付加して前記所定のファイルサイズとなるようにしてから、前記ダミーデータが付加された画像データを前記画像表示装置に送信するようにしてもよい。
【００１６】
このような構成とすることで、所定のファイルサイズとして十分に大きなファイルサイズを画像表示装置に事前に通知しておくことで、スキャンして得られた画像データが予め通知したファイルサイズよりも大きくなってしまい、画像表示装置において受け取ったデータを正常に処理できなることを防ぐことができる。また、ダミーデータを付加して所定のファイルサイズとなるようにするので、スキャンして得られた画像データが事前に通知したファイルサイズよりも小さくなってしまい、画像表示装置において受け取ったデータを正常に処理できなくなることを防ぐことができる。
【００１７】
本発明のスキャナ装置は、画像表示装置にネットワークを介して接続されたスキャナ装置であって、前記画像表示装置から予め定められた予約ファイル名を指定してファイル読み出し要求を受信すると、前記スキャナ装置に載置された画像を読み取ると共に、読み取って得られた画像データを前記予約ファイル名で前記画像表示装置に送信して表示させることを要旨とする。
【００１８】
このように本発明のスキャナ装置では、画像表示装置から予約ファイル名を指定してファイル読み出し要求を受信すると、画像を読み取ると共に画像データを予約ファイル名で画像表示装置に送信して表示させるので、スキャナ装置で読み取った画像を、ネットワークを介して画像表示装置に直接送信して表示することができる。
【００１９】
本発明の画像表示装置は、スキャナ装置にネットワークを介して接続された画像表示装置であって、前記スキャナ装置に載置された画像を読み取って表示する旨の指示をユーザから受けると、予め定められた予約ファイル名を指定してファイル読み出し要求を前記スキャナ装置に送信することで、前記スキャナ装置に前記画像の読み取りを指示することを要旨とする。
【００２０】
このように本発明の画像表示装置は、スキャナ装置に載置された画像を読み取って表示する旨の指示をユーザから受けると、予約ファイル名を指定してファイル読み出し要求をスキャナ装置に送信することで前記スキャナ装置に前記画像の読み取りを指示するので、スキャナ装置が、この予約ファイル名を指定したファイル読み出し要求を受信すると画像を読み取って画像データを画像表示装置に送信するように構成されていると、スキャナ装置で読み取った画像を、ネットワークを介して画像表示装置に直接送信して表示することができる。
【００２１】
なお、本発明は、種々の形態で実現することが可能であり、例えば、画像表示方法や、画像表示システム，スキャナ装置，画像表示装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２２】
以下、本発明を実施するための最良の形態を実施例に基づいて以下の順序で説明する。
Ａ．第１の実施例：
Ｂ．第２の実施例：
Ｃ．第３の実施例：
Ｄ．変形例：
【００２３】
Ａ．第１の実施例：
Ａ１．システム構成：
図１は、本発明の画像表示システムの概略構成を示す説明図である。この画像表示システム１０００は、スキャナ装置１００と、ＤＴＶ２００と、を備えており、ＤＬＮＡシステムを構成している。これらスキャナ装置１００とＤＴＶ２００とは、それぞれローカルエリアネットワークＬＡＮ１に接続されており、スキャナ装置１００がＤＭＳ（デジタルメディアサーバ）として機能し、ＤＴＶ２００がＤＭＰ（デジタルメディアプレーヤー）として機能する。そして、画像表示システム１０００では、印刷されている画像Ｐ１が、スキャナ装置１００で読み取られてＤＴＶ２００で表示されるように構成されている。
【００２４】
ここで、「スキャナ装置１００がＤＭＳ（デジタルメディアサーバ）として機能する」という文言は、スキャナ装置１００が大容量のデータ格納装置を有していることを意味しているのではなく、スキャナ装置１００が少なくともＤＭＳ用のデータ要求を受け付けてデータ送信処理を実行することを意味している。なお、この点については後述する。ローカルエリアネットワークＬＡＮ１は、ＩＥＥＥ８０２．３のような有線ネットワークでも、ＩＥＥＥ８０２．１１ｂ／ｇ／ａなどの無線ネットワークでもよい。なお、ＤＭＳ，ＤＭＰはそれぞれ２台以上備える構成であってもよい。また、スキャナ装置１００は、スキャナユニットを内蔵するいわゆる複合機であってもよい。
【００２５】
図２は、図１に示すスキャナ装置１００及びＤＴＶ２００の構成を示すブロック図である。このスキャナ装置１００は、制御回路１０と、読取部１２と、操作部１４と、ネットワークインタフェース部１６と、を備える。読取部１２は、画像をスキャンして画像データを生成する機構である。ネットワークインタフェース部１６は、ローカルエリアネットワークＬＡＮ１との物理的接続や通信先とのデータリンクの確立を行うためのインタフェース群から成る。制御回路１０は、図示せざるＣＰＵやメモリ等から成り、読取制御部１０ａと、データ格納部１０ｂと、コンテンツ管理部１０ｃと、ＵＰｎＰ機能部１０ｄと、ネットワーク制御部１０ｅと、を備える。
【００２６】
読取制御部１０ａは、読取部１２を制御して、設定されたスキャン条件で画像をスキャンする。データ格納部１０ｂは、スキャンして得られた画像データを格納し、また、スキャン条件が記述された設定ファイル１０１（ファイル名：Ｓｅｔｕｐ．ｔｘｔ）を格納する。初期状態では、データ格納部１０ｂには設定ファイル１０１のみ格納されている。なお、後述するようにこの設定ファイル１０１は上書きされることとなるが、初期状態ではデフォルトのスキャン条件が記述されている。コンテンツ管理部１０ｃは、「ＵＰｎＰ  ＡＶ規格Ｖ１．０」に準拠したコンテンツ管理機構であり、スキャナ装置１００が提供可能なデジタルコンテンツについて、格納場所を示すＵＲＬ（Uniform Resource Locator）やファイル名などの情報を管理する。ＵＰｎＰ機能部１０ｄは、「ＵＰｎＰデバイスアーキテクチャＶ１．０」に準拠した通信動作を実行する。ネットワーク制御部１０ｅは、トランスポート層のＴＣＰ（Transmission Control Protocol），ＵＤＰ（User Datagram Protocol）や、ネットワーク層のＩＰ（Internet Protocol）の各プロトコルを実行すると共に、ネットワークインタフェース部１６を制御して、ローカルエリアネットワークＬＡＮ１を介した通信を実行する。
【００２７】
ここで、ＵＰｎＰでは、ＵＰｎＰ対応装置（ＵＰｎＰ機能部）は、各種サービスを提供する装置である「デバイス」と、ネットワーク上の他のデバイスを検出したり制御したりする装置である「コントロールポイント」と、のいずれかとして動作することとなる。そして、スキャナ装置１００におけるＵＰｎＰ機能部１０ｄは、ストレージサービスを提供する「ＵＰｎＰストレージデバイス」である旨をコントロールポイントに通知する。なお、前述のデータ格納部１０ｂが、請求項における設定ファイル格納部に相当する。
【００２８】
ＤＴＶ２００は、制御回路２０と、表示部２２と、操作部２４と、ネットワークインタフェース部２６と、を備える。表示部２２は、液晶ディスプレイを備えており、静止画像や動画像等のコンテンツの他、各種メニュー画面を表示することができる。ネットワークインタフェース部２６は、スキャナ装置１００におけるネットワークインタフェース部１６と同じ機能を有する。制御回路２０は、図示せざるＣＰＵやメモリ等から成り、コンテンツ再生部２０ａと、コンテンツ管理部２０ｂと、設定ファイル格納部２０ｃと、ＵＰｎＰ機能部２０ｄと、ネットワーク制御部２０ｅと、を備える。
【００２９】
コンテンツ再生部２０ａは、静止画像ファイルや動画像ファイルに基づき、静止画像や動画像を液晶ディスプレイに表示させる。このとき、静止画像ファイルがＪＰＥＧ（Joint Photographic Experts Group）方式で圧縮された画像であれば、コンテンツ再生部２０ａは、伸張処理を行って静止画像を液晶ディスプレイに表示させる。コンテンツ管理部２０ｂは、「ＵＰｎＰ  ＡＶ規格Ｖ１．０」に準拠したコンテンツ管理機構であり、ＤＭＰ（スキャナ装置１００）から取得したコンテンツに関する各種情報を管理する。設定ファイル格納部２０ｃは、スキャナ装置１００におけるスキャン条件を記述した設定ファイルを格納する。ＵＰｎＰ機能部２０ｄは、「ＵＰｎＰデバイスアーキテクチャＶ１．０」に準拠した通信動作を実行する。このとき、ＵＰｎＰ機能部２０ｄは、ＵＰｎＰコントロールポイントとして動作する。ネットワーク制御部２０ｅは、１００におけるネットワーク制御部１０ｅと同じ機能を有する。
【００３０】
設定ファイル格納部２０ｃには、予め２つの設定ファイルが格納されている。１つ目の設定ファイルは、プレスキャンを行うためのスキャン条件が記述されたプレスキャン用設定ファイル２０１であり、２つ目の設定ファイルは、本スキャンを行うためのスキャン条件が記述された本スキャン用設定ファイル２０２である。スキャン条件としては、イメージタイプ（カラー／モノクロ）の別、及び読み取り解像度が規定されている。そして、プレスキャン用設定ファイル２０１には、スキャン条件「カラー，７５ｄｐｉ」が記述されており、本スキャン用設定ファイル２０２には、スキャン条件「カラー，１２００ｄｐｉ」が記述されている。
【００３１】
上述したように、画像表示システム１０００では、スキャナ装置１００におけるＵＰｎＰ機能部１０ｄがＵＰｎＰストレージデバイスである旨を通知し、ＤＴＶ２００におけるＵＰｎＰ機能部２０ｄがＵＰｎＰコントロールポイントとして機能する。これは、ストレージデバイスとコントロールポイントとの間における画像データの送受信方法は、ＵＰｎＰにおいて確立されているので、このデータ送受信方法を用いて、スキャナ装置１００とＤＴＶ２００との間で読み取った画像を直接送受信するためである。なお、本発明はＵＰｎＰ（ＤＬＮＡ）の将来のバージョンにも適用可能である。また、コントロールポイントとデバイスとがピアツーピアで通信が可能であり、コントロールポイントとデバイスとがメッセージの交換を行うアーキテクチャであれば、ＵＰｎＰ（ＤＬＮＡ）以外のネットワークシステムにも本発明を適用することが可能である。
【００３２】
Ａ２．画像表示処理：
図３は、画像表示システム１０００における画像表示処理の典型例を示すシーケンス図である。ユーザがＤＴＶ２００において、表示部２２に表示された初期メニュー画面（図示省略）から、操作部２４を操作してコンテンツ再生メニューを選択すると、ステップ［１］において、コンテンツ再生用アプリケーションが立ち上がる。ステップ［２］では、ＤＴＶ２００のＵＰｎＰ機能部２０ｄは、ディスカバリメッセージをローカルエリアネットワークＬＡＮ１にマルチキャストして、ネットワーク上のデバイス検出を行う。そして、ステップ［３］では、スキャナ装置１００においてＵＰｎＰ機能部１０ｄが、ディスカバリメッセージに対して応答する。なお、以上のデバイス検出／応答は、スキャナ装置１００がネットワークに参加したときに、スキャナ装置１００のＵＰｎＰ機能部１０ｄ（デバイス）がその旨を、ＤＴＶ２００のＵＰｎＰ機能部２０ｄ（コントロールポイント）にアドバタイズすることによっても実現できる。
【００３３】
ステップ［４］では、ＤＴＶ２００のＵＰｎＰ機能部２０ｄは、検出されたデバイス（スキャナ装置１００）に対して、デバイス及びデバイスが提供するサービスに関するデバイス情報（ディスクリプション）を要求するメッセージを送信する。ステップ［５］では、スキャナ装置１００のＵＰｎＰ機能部１０ｄは、このデバイス情報要求の応答として、スキャナ装置１００のデバイス情報をＤＴＶ２００に送信する。ここで、このデバイス情報では、デバイスタイプとして「ストレージ」が指定されると共に、スキャナ装置１００がＵＰｎＰストレージデバイスとして動作する特別なスキャナ装置である旨を示すために、「ストレージスキャナ」の文字列が含まれる。
【００３４】
ステップ［６］では、ＤＴＶ２００のコンテンツ管理部２０ｂは、検出されたスキャナ装置１００（デバイス）に対して、提供可能なコンテンツ一覧を送信するようにＵＰｎＰ機能部２０ｄを介して要求する。ステップ［７］では、スキャナ装置１００のコンテンツ管理部１０ｃは、データ格納部１０ｂに格納される３つのファイルのファイル名「Ｐｒｅｓｃａｎ．ｊｐｇ」，「Ｓｃａｎ．ｊｐｇ」，「Ｓｅｔｕｐ．ｔｘｔ」と、これら３つのファイルの各ＵＲＬとを、ＵＰｎＰ機能部１０ｄを介してＤＴＶ２００に送信する。
【００３５】
ここで、ファイル名「Ｐｒｅｓｃａｎ．ｊｐｇ」は、スキャナ装置１００において、プレスキャンを実行して得られた画像データに固定的に定められているファイル名である。また、ファイル名「Ｓｃａｎ．ｊｐｇ」は、スキャナ装置１００において、本スキャンを実行して得られた画像データに固定的に定められているファイル名である。ステップ［６］でコンテンツ一覧を要求された時点では、スキャナ装置１００ではプレスキャンも本スキャンも実行されていないので、提供可能なコンテンツ（画像ファイル）は存在していない。しかしながら、プレスキャン実行後又は本スキャン実行後には、「Ｐｒｅｓｃａｎ．ｊｐｇ」又は「Ｓｃａｎ．ｊｐｇ」の静止画像が提供可能となるので、スキャナ装置１００では、この固定的に定められているファイル名「Ｐｒｅｓｃａｎ．ｊｐｇ」及び「Ｓｃａｎ．ｊｐｇ」の各ファイル名をＤＴＶ２００に送信するようにしている。なお、「Ｓｅｔｕｐ．ｔｘｔ」は設定ファイル１０１のファイル名であるので、再生可能なコンテンツのファイル名ではないが、ファイル名「Ｐｒｅｓｃａｎ．ｊｐｇ」及び「Ｓｃａｎ．ｊｐｇ」と一緒に送信するようにしている。
【００３６】
ステップ［８］では、ＤＴＶ２００のコンテンツ管理部２０ｂは、コンテンツ再生部２０ａに対してコンテンツ一覧の表示を指示し、表示部２２にスキャナ装置１００が提供可能なコンテンツ一覧が表示される。図４は、ステップ［８］で表示部２２に表示されるコンテンツ一覧の表示画面を示す説明図である。このコンテンツ一覧表示画面Ｗ１には、スキャナ装置１００の装置名「スキャナ０１」と、コンテンツファイル名「Ｐｒｅｓｃａｎ．ｊｐｇ」及び「Ｓｃａｎ．ｊｐｇ」が表示されている。なお、ファイル名「Ｓｅｔｕｐ．ｔｘｔ」が表示されていないのは以下の理由による。ＤＴＶ２００において、コンテンツ管理部２０ｂは、ステップ［５］で受信したデバイス情報に文字列「ストレージスキャナ」が含まれていることから、スキャナ装置１００がストレージデバイスとして機能する特別なスキャナ装置であることを知る。この場合、コンテンツ管理部２０ｂは、ステップ［７］において受信したファイル名「Ｓｅｔｕｐ．ｔｘｔ」は、コンテンツのファイル名ではなく、スキャン条件が記述された設定ファイルであると判断し、コンテンツ一覧表示画面Ｗ１には表示させないからである。
【００３７】
ユーザが、図１に示すようにスキャナ装置１００の読取面に画像Ｐ１を配置して、ＤＴＶ２００において図４に示す「Ｐｒｅｓｃａｎ．ｊｐｇ」を選択して決定ボタンを押下すると、画像を読み取って表示する旨の指示がＤＴＶ２００に与えられる。そうすると、ステップ［９］において、プレスキャン要求がＵＰｎＰ機能部２０ｄに発行される。
【００３８】
ステップ［１０］では、ＤＴＶ２００のＵＰｎＰ機能部２０ｄは、プレスキャン用設定ファイル２０１（図２）を設定ファイル格納部２０ｃから読み出して、このプレスキャン用設定ファイル２０１を「Ｓｅｔｕｐ．ｔｘｔ」として書き込むように、要求メッセージ（ＨＴＴＰ  ＰＵＴメソッド）をスキャナ装置１００に送信する。設定ファイル「Ｓｅｒｕｐ．ｔｘｔ」のＵＲＬはステップ［７］において通知されているので、ＵＰｎＰ機能部２０ｄは、このＵＲＬ及びファイル名を指定して書き込み要求を送信する。ステップ［１１］では、スキャナ装置１００のコンテンツ管理部１０ｃは、ＵＰｎＰ機能部１０ｄを介して設定ファイルの書き込み要求を受信すると、データ格納部１０ｂに格納されている設定ファイル１０１を上書きする。従って、設定ファイル１０１には、スキャン条件「カラー，７５ｄｐｉ」が記述される。そして、ステップ［１２］では、スキャナ装置１００のＵＰｎＰ機能部１０ｄは、設定ファイルの書き込み完了の応答をＤＴＶ２００に送信する。
【００３９】
ステップ［１３］では、ＤＴＶ２００のＵＰｎＰ機能部２０ｄは、ファイル名「Ｐｒｅｓｃａｎ．ｊｐｇ」の画像ファイルの読み出し要求メッセージ（ＨＴＴＰ  ＧＥＴメソッド）をスキャナ装置１００に送信する。ファイル名「Ｐｒｅｓｃａｎ．ｊｐｇ」のファイルのＵＲＬはステップ［７］において通知されているので、ＵＰｎＰ機能部２０ｄは、このＵＲＬ及びファイル名を指定して読み出し要求を送信する。
【００４０】
ステップ［１４］では、スキャナ装置１００の読取制御部１０ａは、ＵＰｎＰ機能部１０ｄを介してファイル読み出し要求を受信すると、設定ファイル１０１（Ｓｅｔｕｐ．ｔｘｔ）を参照して、設定ファイル１０１に記述されたスキャン条件「カラー，７５ｄｐｉ」でスキャンを実行する。そして、読取制御部１０ａは、スキャンして得られた画像をＪＰＥＧ方式で圧縮して、ファイル名「Ｐｒｅｓｃａｎ．ｊｐｇ」のファイルとしてデータ格納部１０ｂに格納する。
【００４１】
ステップ［１５］では、コンテンツ管理部１０ｃは、圧縮された画像データのデータ格納部１０ｂへの格納が始まると、圧縮画像データをチャンク形式でエンコードして、ＵＰｎＰ機能部１０ｄを介してＤＴＶ２００に送信する。チャンク形式のエンコードでは、圧縮画像データは任意のデータサイズのかたまり（チャンク）として次々に送信される。このとき、各チャンクのデータサイズがヘッダ部分に記載され、また、最後のチャンクには、最後のチャンクである旨がヘッダ部分に記載されている。従って、受信側のＤＴＶ２００では、予め受信予定のデータのサイズを知らなくても、全データを受信したことを確かめることができる。
【００４２】
ステップ［１６］では、ＤＴＶ２００のコンテンツ管理部２０ｂは、ＵＰｎＰ機能部２０ｄを介して受信したファイル名「Ｐｒｅｓｃａｎ．ｊｐｇ」のファイルをコンテンツ再生部２０ａに渡し、コンテンツ再生部２０ａは、かかるファイルを伸張して、プレスキャン結果のプレビュー画像を表示部２２に表示させる。
【００４３】
図５は、ステップ［１６］においてＤＴＶ２００の表示部２２に表示されたプレビュー表示画面を示す説明図である。このプレビュー表示画面Ｗ２は、プレビュー画像表示部Ａ１と、スキャンボタンＢ１等の各種ボタンと、を備えている。ステップ［１６］の結果、プレビュー画像表示部Ａ１には、図１に示す画像Ｐ１のプレビュー画像が表示される。そして、ユーザが、このプレビュー画像を見て、本スキャンをした画像を表示部２２に表示させるべくスキャンボタンＢ１を押下すると、ステップ［１７］において、本スキャン要求がＵＰｎＰ機能部２０ｄに発行される。
【００４４】
ステップ［１８］では、ＤＴＶ２００のＵＰｎＰ機能部２０ｄは、本スキャン用設定ファイル２０２（図２）を設定ファイル格納部２０ｃから読み出して、この本スキャン用設定ファイル２０２を、「Ｓｅｔｕｐ．ｔｘｔ」として書き込むように要求メッセージをスキャナ装置１００に送信する。ステップ［１９］では、スキャナ装置１００のコンテンツ管理部１０ｃは、ステップ［１１］と同様に、データ格納部１０ｂに格納されている設定ファイル１０１を上書きする。従って、ファイル「Ｓｅｔｕｐ．ｔｘｔ」には、前述のステップ［１１］で上書きしたスキャン条件「カラー，７５ｄｐｉ」に代えて、スキャン条件「カラー，１２００ｄｐｉ」が記述されることとなる。ステップ［２０］では、スキャナ装置１００のＵＰｎＰ機能部１０ｄは、設定ファイルの書き込み完了の応答をＤＴＶ２００に送信する。
【００４５】
ステップ［２１］では、ＤＴＶ２００のＵＰｎＰ機能部２０ｄは、ファイル名「Ｓｃａｎ．ｊｐｇ」の画像ファイルの読み出し要求メッセージを送信する。ステップ［２２］では、スキャナ装置１００の読取制御部１０ａは、ＵＰｎＰ機能部１０ｄを介してファイル読み出し要求を受信すると、設定ファイル１０１を参照して、設定ファイル１０１に記述されたスキャン条件「カラー，１２００ｄｐｉ」でスキャンを実行する。そして、読取制御部１０ａは、スキャンして得られた画像をＪＰＥＧ方式で圧縮して、ファイル名「Ｓｃａｎ．ｊｐｇ」のファイルとしてデータ格納部１０ｂに格納する。ステップ［２３］では、コンテンツ管理部１０ｃは、前述のステップ［１５］と同様に、圧縮された画像データをチャンク形式でエンコードして、ＵＰｎＰ機能部１０ｄを介してＤＴＶ２００に送信する。
【００４６】
ステップ［２４］では、ＤＴＶ２００のコンテンツ管理部２０ｂは、ＵＰｎＰ機能部２０ｄを介して受信したファイル名「Ｓｃａｎ．ｊｐｇ」のファイルをコンテンツ再生部２０ａに渡し、コンテンツ再生部２０ａは、かかるファイルを伸張して本スキャン結果の画像を表示部２２に表示させる。こうして、図１に示すように、ＤＴＶ２００に本スキャンして得られた画像Ｐ１が表示される。
【００４７】
なお、図４に示すコンテンツ一覧表示画面Ｗ１において、ユーザが「Ｐｒｅｓｃａｎ．ｊｐｇ」ではなく、「Ｓｃａｎ．ｊｐｇ」を選択した場合には、上述したステップ［９］〜［１６］が実行されずに、ステップ［１７］〜［２４］が実行され、ＤＴＶ２００に本スキャンして得られた画像が表示される。
【００４８】
以上説明したように、画像表示システム１０００において、スキャナ装置１００は、ストレージデバイスとして機能するように構成されており、プレスキャンで得られる画像のファイル名及び本スキャンで得られる画像のファイル名が予め固定的に定められている。そして、スキャナ装置１００は、これらファイル名を指定して読み出し要求があると、スキャンを実行して得られた画像ファイルをＤＴＶ２００に送信する。従って、ＤＭＰであるＤＴＶ２００では、一般のストレージデバイスからファイルを読み出すのと同様にして、スキャナ装置１００で読み取られた画像のファイルを直接取得することができ、読取画像を表示することができる。また、スキャナ装置１００では、予め定められたファイル名の設定ファイルを参照してこの設定ファイルに記述されているスキャン条件でスキャンするので、ＤＴＶ２００では、一般のストレージデバイスに対してファイルを書き込むのと同様にして、スキャナ装置１００に対してスキャン条件を設定することができる。
【００４９】
Ｂ．第２の実施例：
図６は、第２の実施例における画像表示処理の典型例を示すシーケンス図である。第２の実施例のシーケンスは、図３に示すシーケンスにおいてステップ［７］，［１５］及び［２３］を変更するものであり、他の手順は同じである。第１の実施例では、プレスキャン及び本スキャンして得られた画像のデータは、チャンク形式でエンコードされて送信されていたが、本実施例では、チャンク形式でエンコードせずに送信するように構成されている。なお、第２の実施例における画像表示システムの構成は、第１の実施例における画像表示システム１０００と同じである。
【００５０】
ステップ［７’］において、スキャナ装置１００のコンテンツ管理部１０ｃは、３つのファイルのファイル名「Ｐｒｅｓｃａｎ．ｊｐｇ」，「Ｓｃａｎ．ｊｐｇ」，「Ｓｅｔｕｐ．ｔｘｔ」と、これら３つのファイルの各ＵＲＬと、をＤＴＶ２００に送信すると共に、「Ｐｒｅｓｃａｎ．ｊｐｇ」及び「Ｓｃａｎ．ｊｐｇ」の各ファイルサイズをＤＴＶ２００に送信する。具体的には、「Ｐｒｅｓｃａｎ．ｊｐｇ」のファイルサイズとして「５０ＫＢ」を送信し、「Ｓｃａｎ．ｊｐｇ」のファイルサイズとして「３ＭＢ」を送信する。
【００５１】
上述したように、「Ｐｒｅｓｃａｎ．ｊｐｇ」及び「Ｓｃａｎ．ｊｐｇ」の各ファイルは、実際にスキャンしないと生成されない。また、これらのファイルのサイズは、スキャンする画像毎に異なることとなる。そこで、どのような画像をスキャンしたとしても、得られた画像のファイルサイズが或るファイルサイズ以下となるようなファイルサイズ（上記５０ＫＢ及び３ＭＢ）を実験的に予め定めておき、これらファイルサイズをステップ［７’］でＤＴＶ２００に通知するようにしている。そして、ステップ［１５’］では、スキャナ装置１００のコンテンツ管理部１０ｃは、「Ｐｒｅｓｃａｎ．ｊｐｇ」のファイルを、ＵＰｎＰ機能部１０ｄを介してＤＴＶ２００に送信する。このとき、かかるファイルのサイズは５０ＫＢ以下であるので、ファイルサイズが５０ＫＢとなるようにダミーデータを付加して送信する。ステップ［２３’］でも同様に、「Ｓｃａｎ．ｊｐｇ」のファイルを送信する際に、ファイルサイズが３ＭＢとなるようにダミーデータを付加して送信する。
【００５２】
このように、予め余裕のある大きなファイルサイズをＤＴＶ２００に通知しておき、スキャンして得られた画像のファイルに対して、通知したファイルサイズとなるようにダミーデータを付加して送信しているのは、以下の理由による。すなわち、ストレージからデータ送信する際には、送信ファイルサイズを最初に通知しておく必要があり、また、スキャナ装置１００では、画像をスキャンする際に、スキャンの完了を待たずに、読み取った部分について逐次得られた画像データを圧縮しながら送信する。それゆえ、最初に小さいファイルサイズを通知しておくと、実際に送信したファイルサイズが通知したサイズを上回ってしまい、受信側のＤＴＶ２００において受け取ったデータを正常に処理できない場合が起こり得るからである。
【００５３】
以上説明した構成であっても、第１の実施例と同様に、スキャナ装置１００は、スキャンして得られた画像データのファイルをＤＴＶ２００に直接送信することができ、ＤＴＶ２００は、スキャンして得られた画像を表示することができる。
【００５４】
Ｃ．第３の実施例：
図７は、第３の実施例におけるＤＴＶの構成を示すブロック図である。このＤＴＶ２００’は、複数の本スキャン用設定ファイルＦ１〜Ｆ５を有する点と、表示部２２に表示されるプレビュー表示画面Ｗ２’が、図５に示すプレビュー表示画面Ｗ２に加えて設定部Ａ２及びＬ版スキャンボタンＢ２を有する点と、において図２に示すＤＴＶ２００と異なり、その他の構成は同じである。なお、第２の実施例におけるスキャン装置の構成は、図２に示すスキャナ装置１００の構成と同じである。上述した第１の実施例では、本スキャンを実行する場合に、スキャン条件は、「カラー，１２００ｄｐｉ」で固定されており、ユーザはかかる条件を変更することができなかった。しかしながら、本実施例では、ユーザは本スキャンのスキャン条件を変更することができる。
【００５５】
具体的には、プレビュー表示画面Ｗ２’に表示された設定部Ａ２は、イメージタイプ（カラー／モノクロ）及び読取解像度（１２００ｄｐｉ／２４００ｄｐｉ）を設定可能なラジオボタンを備えている。そして、ユーザは、操作部２４を操作して、これらスキャン条件を変更して設定することができる。ここで、設定ファイル格納部２０ｃには、設定部Ａ２において設定可能なスキャン条件の各パターン毎に、対応する設定ファイルＦ１〜Ｆ４が用意されている。そして、ＤＴＶ２００のＵＰｎＰ機能部２０ｄは、ステップ［１８］においてユーザが設定したスキャン条件に応じた設定ファイルを、設定ファイル格納部２０ｃから読み出して「Ｓｅｔｕｐ．ｔｘｔ」として書き込むように要求メッセージを送信する。例えば、図７に示すように、「モノクロ，１２００ｄｐｉ」と設定された場合には、ＵＰｎＰ機能部２０ｄは、設定ファイルＦ１を「Ｓｅｔｕｐ．ｔｘｔ」として書き込むように要求メッセージを送信する。このような構成とすることで、ユーザは、本スキャン時のスキャン条件を設定することができる。
【００５６】
また、Ｌ版の写真をスキャンする場合には、その写真部分のみをスキャンして得られた画像をＤＴＶ２００で表示することが望まれる。そこで、本実施例では、プレビュー表示画面Ｗ２’において、Ｌ版スキャンボタンＢ２が用意されており、ユーザは、このＬ版スキャンボタンＢ２を押下することで、Ｌ版の写真部分のみをスキャンして得られた画像をＤＴＶ２００に表示させることができる。具体的な動作は以下のごとくである。Ｌ版スキャンボタンＢ２が押下されると、ＤＴＶ２００のＵＰｎＰ機能部２０ｄは、ステップ［１８］において、設定ファイルＦ５を「Ｓｅｔｕｐ．ｔｘｔ」として書き込むように要求メッセージを送信する。この設定ファイルＦ５には、イメージタイプ（カラー），読取解像度（１２００ｄｐｉ）の他、Ｌ版写真に相当する読み取り領域についての位置情報が記述されている。従って、スキャナ装置１００の読取制御部１０ａは、ステップ［２２］において、かかる位置情報に基づき、Ｌ版の写真部分のみをスキャンして画像ファイルを得ることができる。
【００５７】
なお、第２の実施例のように、予めコンテンツのファイルサイズを通知しておく構成の場合には、ファイルサイズをＤＴＶ２００に通知するのは、ステップ［７］ではなく、設定ファイルを送った後のステップ［１２］やステップ［２０］において行うようにしてもよい。スキャン条件によって予め通知すべきファイルサイズを異なる値とすることができるので、上記構成とすることで、ステップ［１０］，［１８］で受信した設定ファイルに記述されたスキャン条件に応じたファイルサイズを通知することができる。なお、この場合、スキャナ装置１００では、想定されるスキャン条件のパターン毎に、通知すべきファイルサイズを対応付けたテーブルを予め用意しておくようにしてもよい。
【００５８】
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００５９】
Ｄ１．変形例１：
上述した各実施例では、スキャナ装置１００で読み取られる画像は、印刷されている画像Ｐ１であったが、本発明は印刷されている画像に限定されるものではなく、任意の画像をスキャナ装置１００で読み取る構成とすることができる。例えば、スキャナ装置１００が、透過原稿ユニットを備える構成であって、ネガフィルムやポジフィルムを読み取り可能な構成であれば、これらネガ／ポジフィルムの画像をスキャンしてＤＴＶ２００に表示させることも可能となる。このようにすることで、ネガ／ポジフィルムを現像することなく、大画面で画像を確認することができる。
【００６０】
Ｄ２．変形例２：
上述した各実施例では、画像表示システム１０００は、ＵＰｎＰをベースとしたＤＬＮＡシステムであるものとしたが、ＤＬＮＡシステムに代えて、ＰＴＰ／ＩＰ（Picture Transfer Protocol / Internet Protocol）による画像転送を行うシステムとして構成してもよい。このＰＴＰ／ＩＰは、ＣＩＰＡ（Camera&Imaging Products Association：カメラ映像機器工業会）において規定された画像転送用プロトコルである。ＰＴＰ／ＩＰでは、イニシエータとレスポンダの２つの装置間での画像データの送信を実現することができる。イニシエータやレスポンダとしては、デジタルスチルカメラや、パーソナルコンピュータや、プリンタを使用することができる。このような構成においても、スキャナ装置１００がレスポンダとして機能し、所定のファイル名を指定した処理要求があった場合にスキャンを実行して画像ファイルを送信することで、イニシエータとしてのＤＴＶ２００において読取画像を表示することができる。
【００６１】
Ｄ３．変形例３：
上述した各実施例では、ＤＴＶ２００において、スキャン条件を記述した設定ファイル２０１，２０２，Ｆ１〜Ｆ５を予め格納しておく構成であったが、予め格納するのに代えて、ユーザが設定した任意のスキャン条件に従って、新たに設定ファイルを生成する構成であってもよい。かかる構成では、ユーザは、プレビュー画像において、本スキャンすべき領域を自由に設定することが可能となる。この場合、イメージタイプ及び読み取り解像度の他に、スキャン領域についての座標情報をスキャン条件として記述して新たな設定ファイルを生成すればよい。
【００６２】
Ｄ４．変形例４：
上述した第１の実施例では、ＤＴＶ２００からスキャナ装置１００に対してプレスキャン用設定ファイル２０１又は２０２を送信して、スキャナ装置１００の設定ファイル１０１を上書きする構成であったが、本発明はこれに限定されるものではなく、スキャン用設定ファイルを送信しない構成であってもよい。例えば、スキャナ装置１００において、予めプレスキャン用の設定ファイルと、本スキャン用の設定ファイルと、をデータ格納部１０ｂに格納しておき、実行しようとするスキャン方法（プレスキャン又は本スキャン）に応じて、対応する設定ファイルを参照するようにしてもよい。
【００６３】
Ｄ５．変形例５：
上述した第１の実施例では、ＤＴＶ２００は、スキャナ装置１００に送信するファイル読み出し要求（ステップ［１３］）において、ファイル名及びＵＲＬを指定していたが、これに代えて、ファイル名のみを指定する構成としてもよい。この構成では、スキャナ装置１００において、ファイル名「Ｓｃａｎ．ｊｐｇ」と共にこのファイルのＵＲＬを固定的に定めておき、ＤＴＶ２００において、これらファイル名及びＵＲＬを予め設定しておくようにしてもよい。なお、同様にして、Ｓｅｔｕｐ．ｔｘｔの書き込み要求（ステップ［１０］，［１８］）においても、ファイル名のみを指定してファイル書き込み要求を送信する構成としてもよい。以上の構成においても、スキャナ装置１００に対して、設定ファイルの書き込みや、スキャンして得られた画像データの送信を要求することができる。また、スキャナ装置１００に対してコンテンツ一覧の送信を要求する工程（ステップ［６］）を省略することができる。
【００６４】
Ｄ６．変形例６：
上述した実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００６５】
【図１】本発明の画像表示システムの概略構成を示す説明図である。
【図２】図１に示すスキャナ装置１００及びＤＴＶ２００の構成を示すブロック図である。
【図３】画像表示システム１０００における画像表示処理の典型例を示すシーケンス図である。
【図４】ステップ［８］で表示部２２に表示されるコンテンツ一覧の表示画面を示す説明図である。
【図５】ステップ［１６］においてＤＴＶ２００の表示部２２に表示されたプレビュー表示画面を示す説明図である。
【図６】第２の実施例における画像表示処理の典型例を示すシーケンス図である。
【図７】第３の実施例におけるＤＴＶの構成を示すブロック図である。
【符号の説明】
【００６６】
１０…制御回路
１０ａ…読取制御部
１０ｂ…データ格納部
１０ｃ…コンテンツ管理部
１０ｅ…ネットワーク制御部
１２…読取部
１４…操作部
１６…ネットワークインタフェース部
２０…制御回路
２０ａ…コンテンツ再生部
２０ｂ…コンテンツ管理部
２０ｃ…設定ファイル格納部
２０ｅ…ネットワーク制御部
２２…表示部
２４…操作部
２６…ネットワークインタフェース部
１００…スキャナ装置
１０１…設定ファイル
２０１…プレスキャン用設定ファイル
２０２…本スキャン用設定ファイル
１０００…画像表示システム
ＬＡＮ１…ローカルエリアネットワーク
Ｐ１…画像
Ｗ１…コンテンツ一覧表示画面
Ａ１…プレビュー画像表示部
Ｂ１…スキャンボタン
Ｆ１〜Ｆ５…本スキャン用設定ファイル
Ｗ２…プレビュー表示画面
Ａ２…設定部
【図１】
2008042552.tif 000003
【図２】
2008042552.tif 000004
【図３】
2008042552.tif 000005
【図４】
2008042552.tif 000006
【図５】
2008042552.tif 000007
【図６】
2008042552.tif 000008
【図７】
2008042552.tif 000009
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
画像を読み取って表示するための画像表示システムであって、
画像表示装置と、
設定ファイル格納部を有し前記画像表示装置にネットワークを介して接続されたスキャナ装置と、
を備え、
前記画像表示装置は、スキャン条件を記述したスキャン設定ファイルと、前記スキャン設定ファイルの書き込み要求と、を前記スキャナ装置に送信し、
前記スキャナ装置は、前記スキャン設定ファイルを前記設定ファイル格納部に書き込み、
前記画像表示装置は、前記スキャナ装置に載置された画像を読み取って表示する旨の指示をユーザから受けると、予め定められた予約ファイル名を指定してファイル読み出し要求を前記スキャナ装置に送信し、
前記スキャナ装置は、前記ファイル読み出し要求を受信すると、前記スキャン設定ファイルに記述された前記スキャン条件で前記画像を読み取ると共に、読み取って得られた画像データを前記予約ファイル名で前記画像表示装置に送信して表示させることを特徴とする画像表示システム。
【請求項２】
請求項１に記載の画像表示システムにおいて、
前記画像表示装置は、ネットワーク型プラグアンドプレイにおけるコントロールポイントとして機能し、
前記スキャナ装置は、予め前記画像表示装置に対して、前記スキャナ装置が前記ネットワーク型プラグアンドプレイにおけるストレージデバイスとして機能する旨を通知すると共に、前記予約ファイル名を通知する、
画像表示システム。
【請求項３】
請求項１または請求項２に記載の画像表示システムにおいて、
前記スキャナ装置は、予め画像表示装置に対して、前記画像データのファイルサイズとして所定のファイルサイズを通知し、
前記スキャナ装置は、前記画像データを送信する際に、前記画像データのファイルサイズが前記所定のファイルサイズよりも小さい場合には、前記画像データにダミーデータを付加して前記所定のファイルサイズとなるようにしてから、前記ダミーデータが付加された画像データを前記画像表示装置に送信する、
画像表示システム。
【請求項４】
画像表示装置にネットワークを介して接続されたスキャナ装置であって、
設定ファイル格納部を備え、
前記画像表示装置からスキャン条件を記述したスキャン設定ファイルと、前記スキャン設定ファイルの書き込み要求と、を受信すると、前記スキャン設定ファイルを前記設定ファイル格納部に書き込み、
前記画像表示装置から予め定められた予約ファイル名を指定してファイル読み出し要求を受信すると、前記スキャン設定ファイルに記述された前記スキャン条件で前記スキャナ装置に載置された画像を読み取ると共に、読み取って得られた画像データを前記予約ファイル名で前記画像表示装置に送信して表示させることを特徴とするスキャナ装置。
【請求項５】
スキャナ装置にネットワークを介して接続された画像表示装置であって、
（ｉ）スキャン条件を記述したスキャン設定ファイルと、前記スキャン設定ファイルの書き込み要求と、を前記スキャナ装置に送信し、
（ｉｉ）前記スキャナ装置に載置された画像を読み取って表示する旨の指示をユーザから受けると、予め定められた予約ファイル名を指定してファイル読み出し要求を前記スキャナ装置に送信することで、前記スキャナ装置に前記スキャン設定ファイルに記述された前記スキャン条件で前記画像の読み取りを指示することを特徴とする画像表示装置。
【請求項６】
画像表示装置と、設定ファイル格納部を有し前記画像表示装置にネットワークを介して接続されたスキャナ装置と、を備えた画像表示システムにおいて、画像を読み取って表示するための画像表示方法であって、
（ａ）前記画像表示装置において、スキャン条件を記述したスキャン設定ファイルと、前記スキャン設定ファイルの書き込み要求と、を前記スキャナ装置に送信する工程と、
（ｂ）前記スキャナ装置において、前記スキャン設定ファイルを前記設定ファイル格納部に書き込む工程と、
（ｃ）前記画像表示装置において、前記スキャナ装置に載置された画像を読み取って表示する旨の指示をユーザから受けると、予め定められた予約ファイル名を指定してファイル読み出し要求を前記スキャナ装置に送信する工程と、
（ｄ）前記スキャナ装置において、前記ファイル読み出し要求を受信すると、前記スキャン設定ファイルに記述された前記スキャン条件で前記画像を読み取ると共に、読み取って得られた画像データを前記予約ファイル名で前記画像表示装置に送信して表示させる工程と、
を備える画像表示方法。
【手続補正２】
【補正対象書類名】明細書
【補正対象項目名】０００９
【補正方法】変更
【補正の内容】
【０００９】
上記目的を達成するために、本発明の画像表示システムは、画像を読み取って表示するための画像表示システムであって、画像表示装置と、設定ファイル格納部を有し前記画像表示装置にネットワークを介して接続されたスキャナ装置と、を備え、前記画像表示装置は、スキャン条件を記述したスキャン設定ファイルと、前記スキャン設定ファイルの書き込み要求と、を前記スキャナ装置に送信し、前記スキャナ装置は、前記スキャン設定ファイルを前記設定ファイル格納部に書き込み、前記画像表示装置は、前記スキャナ装置に載置された画像を読み取って表示する旨の指示をユーザから受けると、予め定められた予約ファイル名を指定してファイル読み出し要求を前記スキャナ装置に送信し、前記スキャナ装置は、前記ファイル読み出し要求を受信すると、前記スキャン設定ファイルに記述された前記スキャン条件で前記画像を読み取ると共に、読み取って得られた画像データを前記予約ファイル名で前記画像表示装置に送信して表示させることを要旨とする。
【手続補正３】
【補正対象書類名】明細書
【補正対象項目名】００１０
【補正方法】変更
【補正の内容】
【００１０】
このように本発明の画像表示システムでは、画像表示装置が予約ファイル名を指定してファイル読み出し要求をスキャナ装置に送信すると、スキャナ装置は、スキャン設定ファイルに記述されたスキャン条件で画像を読み取ると共に画像データを予約ファイル名で画像表示装置に送信して表示させるので、スキャナ装置で読み取った画像を、ネットワークを介して画像表示装置に直接送信して表示することができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１７
【補正方法】変更
【補正の内容】
【００１７】
本発明のスキャナ装置は、画像表示装置にネットワークを介して接続されたスキャナ装置であって、設定ファイル格納部を備え、前記画像表示装置からスキャン条件を記述したスキャン設定ファイルと、前記スキャン設定ファイルの書き込み要求と、を受信すると、前記スキャン設定ファイルを前記設定ファイル格納部に書き込み、前記画像表示装置から予め定められた予約ファイル名を指定してファイル読み出し要求を受信すると、前記スキャン設定ファイルに記述された前記スキャン条件で前記スキャナ装置に載置された画像を読み取ると共に、読み取って得られた画像データを前記予約ファイル名で前記画像表示装置に送信して表示させることを要旨とする。
【手続補正７】
【補正対象書類名】明細書
【補正対象項目名】００１８
【補正方法】変更
【補正の内容】
【００１８】
このように本発明のスキャナ装置では、画像表示装置から予約ファイル名を指定してファイル読み出し要求を受信すると、スキャン設定ファイルに記述されたスキャン条件で画像を読み取ると共に画像データを予約ファイル名で画像表示装置に送信して表示させるので、スキャナ装置で読み取った画像を、ネットワークを介して画像表示装置に直接送信して表示することができる。
【手続補正８】
【補正対象書類名】明細書
【補正対象項目名】００１９
【補正方法】変更
【補正の内容】
【００１９】
本発明の画像表示装置は、スキャナ装置にネットワークを介して接続された画像表示装置であって、（ｉ）スキャン条件を記述したスキャン設定ファイルと、前記スキャン設定ファイルの書き込み要求と、を前記スキャナ装置に送信し、（ｉｉ）前記スキャナ装置に載置された画像を読み取って表示する旨の指示をユーザから受けると、予め定められた予約ファイル名を指定してファイル読み出し要求を前記スキャナ装置に送信することで、前記スキャナ装置に前記スキャン設定ファイルに記述された前記スキャン条件で前記画像の読み取りを指示することを要旨とする。
【手続補正９】
【補正対象書類名】明細書
【補正対象項目名】００２０
【補正方法】変更
【補正の内容】
【００２０】
このように本発明の画像表示装置は、スキャナ装置に載置された画像を読み取って表示する旨の指示をユーザから受けると、予約ファイル名を指定してファイル読み出し要求をスキャナ装置に送信することで前記スキャナ装置に前記画像の読み取りを指示するので、スキャナ装置が、この予約ファイル名を指定したファイル読み出し要求を受信すると予め受信しているスキャン設定ファイルに記述されたスキャン条件で画像を読み取って画像データを画像表示装置に送信するように構成されていると、スキャナ装置で読み取った画像を、ネットワークを介して画像表示装置に直接送信して表示することができる。